(57)【要約】 【課題】  本発明は、ひだ状のカーテン等を効率良く蒸気を当ててクリーニングすることができるカーテン用スチームアイロンを提供することを目的とするものである。【解決手段】  本発明は、左柱及び右柱に沿って上下移動可能な上レール及び下レールと、上レールに複数のＬ字型フックが取り付けられたカーテンフックと、左右スライド台により左右移動が可能で前後スライド台により前後移動が可能な可動部と、下レールの前面に複数の正面プレス板が取り付けられた正面プレス具と、可動部の後面に複数の背面プレス板が取り付けられた背面プレス具と、可動部に取り付けたコの字型体に束ねたカーテンを収め、内側に複数設けた蒸気噴射孔から蒸気を噴射する蒸気噴射部と、蒸気噴射部に加熱した蒸気を送り込むボイラーと、噴射された蒸気をターボファンにより排出する排気部とからなることを特徴とするカーテン用スチームアイロンの構成とした。【選択図】  図１
2007097921.tif 000002
【特許請求の範囲】
【請求項１】
垂直に立てた左柱及び右柱の間に中央橋絡及び安定用橋絡を水平に通した骨組みと、前記骨組みの中央橋絡の上側に通した水平なレールが左柱及び右柱に沿って上下移動可能な上レールと、前記上レールの前面にカーテンの上端を掛けるため複数のＬ字型フックが取り付けられ、前部及び後部伸縮用部材により各Ｌ字型フックの間隔を調整できる水平移動可能なカーテンフックと、前記骨組みの中央橋絡の下側に通した水平なレールが左柱及び右柱に沿って上下移動可能な下レールと、前記下レールから前方に延びた基礎枠に設置され、左右スライド台により左右移動が可能で前後スライド台により前後移動が可能な可動部と、前記下レールの前面に複数の正面プレス板が取り付けられ、前部及び後部伸縮用部材により各正面プレス板の間隔を調整できる水平移動可能な正面プレス具と、前記可動部の後面に複数の背面プレス板が取り付けられ、前記正面プレス具と噛み合わせることにより挟まれたカーテンにひだを形成する背面プレス具と、前記骨組みの中央橋絡から前方に延びた左押さえ板及び右押さえ板により背面側からカーテンを挟着するカーテン押さえ具と、前記可動部に取り付けたコの字型体に束ねたカーテンを収め、内側に複数設けた蒸気噴射孔から蒸気を噴射する蒸気噴射部と、前記蒸気噴射部に加熱した蒸気を送り込むボイラーと、前記ボイラーを制御する蒸気制御部と、前記骨組みの中央橋絡に設置され、前記蒸気噴射部で噴射された蒸気をターボファンにより排出する排気部と、前記可動部を上下に移動させるペダルを有し、装置全体を操作することができるコントロールボックスとからなることを特徴とするカーテン用スチームアイロン。
【発明の詳細な説明】
【技術分野】
【０００１】
本発明は、ひだ状のカーテン等を蒸気でクリーニングすることができるカーテン用スチームアイロンに関するものである。
【背景技術】
【０００２】
従来において、カーテン等をクリーニングする場合、カーテン等のサイズが大きかったり、カーテン等がひだ状になっていることから、十分に洗浄することは、非常に手間の掛かるものであった。
【０００３】
特許文献１に記載されているように、被洗浄物品をその場でクリーニングすることができ、殺菌及び洗浄を十分に行うことができる現場スチームクリーニング方法という発明も公開されている。
【０００４】
また、特許文献２に記載されているように、カーテンを吊した状態で丈方向のひだを多数本付けて美しい波板状に仕上げることができるカーテンの仕上げ方法および装置という発明も公開されている。
【特許文献１】特開２００２−２１０４２０号公報
【特許文献２】特開２００１−２９９５６８号公報
【発明の開示】
【発明が解決しようとする課題】
【０００５】
しかしながら、特許文献１に記載の発明は、被洗浄物品に対し、人が吸引機又は蒸気発生装置を当てて洗浄するため、ひだ状のカーテン等の場合には、十分に汚れを落とすことができない。
【０００６】
また、特許文献２に記載の発明は、カーテンの製造における最終仕上げ工程の段階で、蒸気を使用してひだを形成するものであり、ひだ状のカーテン等をクリーニングすることを目的とするものではない。
【０００７】
そこで、本発明は、ひだ状のカーテン等を効率良く蒸気を当ててクリーニングすることができるカーテン用スチームアイロンを提供することを目的とするものである。
【課題を解決するための手段】
【０００８】
本発明は、上記の課題を解決するために、垂直に立てた左柱及び右柱の間に中央橋絡及び安定用橋絡を水平に通した骨組みと、前記骨組みの中央橋絡の上側に通した水平なレールが左柱及び右柱に沿って上下移動可能な上レールと、前記上レールの前面にカーテンの上端を掛けるため複数のＬ字型フックが取り付けられ、前部及び後部伸縮用部材により各Ｌ字型フックの間隔を調整できる水平移動可能なカーテンフックと、前記骨組みの中央橋絡の下側に通した水平なレールが左柱及び右柱に沿って上下移動可能な下レールと、前記下レールから前方に延びた基礎枠に設置され、左右スライド台により左右移動が可能で前後スライド台により前後移動が可能な可動部と、前記下レールの前面に複数の正面プレス板が取り付けられ、前部及び後部伸縮用部材により各正面プレス板の間隔を調整できる水平移動可能な正面プレス具と、前記可動部の後面に複数の背面プレス板が取り付けられ、前記正面プレス具と噛み合わせることにより挟まれたカーテンにひだを形成する背面プレス具と、前記骨組みの中央橋絡から前方に延びた左押さえ板及び右押さえ板により背面側からカーテンを挟着するカーテン押さえ具と、前記可動部に取り付けたコの字型体に束ねたカーテンを収め、内側に複数設けた蒸気噴射孔から蒸気を噴射する蒸気噴射部と、前記蒸気噴射部に加熱した蒸気を送り込むボイラーと、前記ボイラーを制御する蒸気制御部と、前記骨組みの中央橋絡に設置され、前記蒸気噴射部で噴射された蒸気をターボファンにより排出する排気部と、前記可動部を上下に移動させるペダルを有し、装置全体を操作することができるコントロールボックスとからなることを特徴とするカーテン用スチームアイロンの構成とした。
【発明の効果】
【０００９】
本発明は、以上の構成であるから以下の効果が得られる。第１に、カーテン等を吊した状態で、ひだを畳んでまとめて蒸気を当てるので、ひだを綺麗に残したまま、短時間で容易にクリーニングすることができる。
【００１０】
第２に、蒸気噴射部をコの字状とすることにより、蒸気噴射部の内側に束ねたカーテン等を収めることができ、束ねたカーテン等に対し前側及び左右側から十分に蒸気を噴射することができる。
【発明を実施するための最良の形態】
【００１１】
本発明は、ひだ状のカーテン等を効率良く蒸気を当ててクリーニングするという目的を、左柱及び右柱に沿って上下移動可能な上レール及び下レールと、上レールに複数のＬ字型フックが取り付けられたカーテンフックと、左右スライド台により左右移動が可能で前後スライド台により前後移動が可能な可動部と、下レールの前面に複数の正面プレス板が取り付けられた正面プレス具と、可動部の後面に複数の背面プレス板が取り付けられた背面プレス具と、可動部に取り付けたコの字型体に束ねたカーテンを収め、内側に複数設けた蒸気噴射孔から蒸気を噴射する蒸気噴射部と、蒸気噴射部に加熱した蒸気を送り込むボイラーと、噴射された蒸気をターボファンにより排出する排気部とからなるカーテン用スチームアイロンとすることにより実現した。
【実施例１】
【００１２】
以下に添付図面に基づき、本発明であるカーテン用スチームアイロンについて詳細に説明する。図１は、本発明であるカーテン用スチームアイロンの全体の正面図であり、図２は、本発明であるカーテン用スチームアイロンの本体の正面側の斜視図であり、図３は、本発明であるカーテン用スチームアイロンの本体の背面側の斜視図である。
【００１３】
カーテン用スチームアイロン１は、垂直に立てた左柱３ａ及び右柱３ｂの間に中央橋絡３ｃ及び安定用橋絡３ｄを水平に通した骨組み３と、前記骨組み３の中央橋絡３ｃの上側に通した水平なレール４ａが左柱３ａ及び右柱３ｂに沿って上下移動可能な上レール４と、前記上レール４の前面にカーテン１７の上端を掛けるため複数のＬ字型フック６ｃが取り付けられ、前部及び後部伸縮用部材６ａ、６ｅにより各Ｌ字型フック６ｃの間隔を調整できる水平移動可能なカーテンフック６と、前記骨組み３の中央橋絡３ｃの下側に通した水平なレール５ａが左柱３ａ及び右柱３ｂに沿って上下移動可能な下レール５と、前記下レール５から前方に延びた基礎枠９ｇに設置され、左右スライド台９ａにより左右移動が可能で前後スライド台９ｈにより前後移動が可能な可動部９と、前記下レール５の前面に複数の正面プレス板７ａが取り付けられ、前部及び後部伸縮用部材７ｂ、７ｄにより各正面プレス板７ａの間隔を調整できる水平移動可能な正面プレス具７と、前記可動部９の後面に複数の背面プレス板１２ａが取り付けられ、前記正面プレス具７と噛み合わせることにより挟まれたカーテン１７にひだを形成する背面プレス具１２と、前記骨組み３の中央橋絡３ｃから前方に延びた左押さえ板１１ａ及び右押さえ板１１ｂにより背面側からカーテン１７を挟着するカーテン押さえ具１１と、前記可動部９に取り付けたコの字型体８ａに束ねたカーテン１７を収め、内側に複数設けた蒸気噴射孔８ｂから蒸気を噴射する蒸気噴射部８と、前記蒸気噴射部８に加熱した蒸気を送り込むボイラー１６と、前記ボイラー１６を制御する蒸気制御部１５と、前記骨組み３の中央橋絡３ｃに設置され、前記蒸気噴射部８で噴射された蒸気をターボファン１８により排出する排気部１０と、前記可動部９を上下に移動させるペダル１９を有し、装置全体を操作することができるコントロールボックス１３とからなることを特徴とする。
【００１４】
図１から図３までに示すように、カーテン用スチームアイロン１は、骨組み３、上レール４、下レール５、カーテンフック６、正面プレス具７、蒸気噴射部８、可動部９、排気部１０、カーテン押さえ具１１、背面プレス具１２及びコントロールボックス１３からなる本体２と、蒸気制御部１５及びボイラー１６とからなる。
【００１５】
骨組み３は、左柱３ａ、右柱３ｂ、中央橋絡３ｃ、安定用橋絡３ｄ、左脚３ｅ及び右脚３ｆからなる。また、骨組み３には、上レール４、下レール５又はカーテン押さえ具１１等が取り付けられる。
【００１６】
左柱３ａ及び右柱３ｂは、垂直に立てられた棒状の部材で、下端に前後方向に水平な左脚３ｅ及び右脚３ｆを固定することにより支える。また、左柱３ａと右柱３ｂの間には、中央に中央橋絡３ｃ、下端に安定用橋絡３ｄが水平に固定される。
【００１７】
上レール４は、横に長いレール台４ｂの前面にレール４ａを設けた部材であり、骨組み３の左柱３ａと右柱３ｂの間で、かつ、中央橋絡３ｃの上側に水平に取り付けられる。上レール４は、安定用橋絡３ｄに設けたペダル１９で操作することにより、左柱３ａ及び右柱３ｂに沿って上下移動させることができる。
【００１８】
カーテンフック６は、複数の前部伸縮用部材６ａが上レール４のレール４ａに設置され、前部伸縮用部材６ａの下側に連設された被嵌部６ｂに、クリーニングしたいカーテン１７の上端をひだ毎に掛ける。
【００１９】
下レール５は、横に長いレール台５ｂの前面にレール５ａを設けた部材であり、骨組み３の左柱３ａと右柱３ｂの間で、かつ、中央橋絡３ｃと安定用橋絡３ｄの間に水平に取り付けられる。
【００２０】
可動部９は、蒸気噴射部８を左右に移動させることができる左右スライド台９ａと前後に移動させることができる前後スライド台９ｈを有する部材で、基礎枠９ｇにより可動部９と下レール５とが連結する。尚、前後スライド台９ｈには支持軸９ｉが取り付けられ、ハンドル９ｊを回転させることにより前後に移動させることができる。
【００２１】
正面プレス具７は、カーテンフック６に対応するように、下レール５に設置され、背面プレス具１２は、正面プレス具７に対応するように、可動部９に設置される。正面プレス具７は手前向きに、背面プレス具１２は奥向きに、正面プレス具７と背面プレス具１２とが、互い違いになるように噛み合わせる。
【００２２】
カーテン押さえ具１１は、伸縮用部材１１ｃ及び留め具１１ｄによりアーム状に形成された左押さえ板１１ａ及び右押さえ板１１ｂからなり、中央橋絡３ｃに取り付けられ、後側からカーテン１７を挟んで留める。
【００２３】
蒸気噴射部８は、コの字状の部材で可動部９に設置される。蒸気噴射部８の内側には、蒸気を噴射する機構があり、ボイラー１６から送られてきた蒸気をカーテン１７に吹き付けることでクリーニングを行う。
【００２４】
排気部１０は、中央橋絡３ｃに取り付けられた排蒸気吸引部１０ａにより蒸気噴射部８で噴射した蒸気を吸い込む。尚、排蒸気吸引部１０ａは、ホース１０ｂを介してターボファン１８に繋がっており、吸い込んだ蒸気を外部へ排出する。
【００２５】
コントロールボックス１３は、カーテン用スチームアイロン１の動作を制御する機器であり、左柱３ａに設置される。尚、電源又はその他のケーブルは、コードカバー１４を被せて保護している。
【００２６】
蒸気制御部１５は、蒸気の温度を制御する装置であり、電源スイッチ１５ａにより起動又は停止させる。ボイラー１６で発生した蒸気を適した温度に保ちつつ、送気管１５ｌを通じて蒸気噴射部８に送る。
【００２７】
図４は、本発明であるカーテン用スチームアイロンのカーテンフックにカーテンを掛けた状態を示す図であり、図５は、本発明であるカーテン用スチームアイロンの上レールの拡大図であり、図６は、本発明であるカーテン用スチームアイロンの下レールの拡大図である。
【００２８】
図４に示すように、カーテン１７の上部にある袋部１７ａをそれぞれカーテンフック６の被嵌部６ｂにあるＬ字型フック６ｃに掛けて吊し、カーテン１７のひだが正面プレス具７の正面プレス板７ａの間に収まるようにする。
【００２９】
図５に示すように、上レール４は、レール４ａ、レール台４ｂ、レール固定部４ｃ、接続部４ｄ、ストッパー４ｅ及びレール移動装置４ｆからなる。レール４ａには、カーテンフック６が取り付けられ、左右にスライドさせることができる。
【００３０】
レール台４ｂは、左端が左柱３ａに取り付けられ、右端が右柱３ｂに取り付けられる水平な長い板状の部材であり、前面にレール４ａが形成される。尚、レール台４ｂの左端又は右端であるレール固定部４ｃは、接続部４ｄにおいて左柱３ａ又は右柱３ｂに接続される。
【００３１】
また、レール台４ｂは、安定用橋絡３ｄにあるペダル１９でレール移動装置４ｆを操作することにより上下に移動させることができる。尚、レール移動装置４ｆが有するベアリングによりスムーズに動作させることができる。ただし、ストッパー４ｅで制限した範囲内で移動可能となる。
【００３２】
カーテンフック６は、前部伸縮用部材６ａ、被嵌部６ｂ、Ｌ字型フック６ｃ、孔６ｄ、後部伸縮用部材６ｅ、上留め具６ｆ、中留め具６ｇ及び下留め具６ｈからなり、前部伸縮用部材６ａを横に複数繋げたものである。
【００３３】
前部伸縮用部材６ａは、縦に長い板であり、後部伸縮用部材６ｅは、斜めに長い板である。一の前部伸縮用部材６ａと隣りの前部伸縮用部材６ａとは、２つの後部伸縮用部材６ｅを中心で交差させ、対角線状に繋ぐことで、横方向に伸縮できるようにする。
【００３４】
前部伸縮用部材６ａと後部伸縮用部材６ｅとは、上側は上留め具６ｆで留め、下側は下留め具６ｈで留める。また、２つの後部伸縮用部材６ｅの交点は中留め具６ｇで留める。尚、前部伸縮用部材６ａの上側においては、孔６ｄを設けて伸縮の際に上留め具６ｆが上下に可動できるようにする。
【００３５】
全ての前部伸縮用部材６ａの下部には、それぞれＬ字型フック６ｃを有する被嵌部６ｂが取り付けられる。被嵌部６ｂをＬ字型とすることにより、カーテン１７の袋部１７ａを引っ掛けやすくする。
【００３６】
図６に示すように、下レール５は、レール５ａ、レール台５ｂ、レール固定部５ｃ及びレール台接続部５ｄからなる。レール５ａには、正面プレス具７が取り付けられ、左右にスライドさせることができる。
【００３７】
レール台５ｂは、左端が左柱３ａに取り付けられ、右端が右柱３ｂに取り付けられる水平な長い板状の部材であり、前面にレール５ａが形成される。尚、レール台５ｂの左端又は右端であるレール固定部５ｃは、レール台接続部５ｄにおいて左柱３ａ又は右柱３ｂに接続される。
【００３８】
正面プレス具７は、正面プレス板７ａ、前部伸縮用部材７ｂ、上孔７ｃ、後部伸縮用部材７ｄ、上留め具７ｅ、中留め具７ｆ、下留め具７ｇ及び下孔７ｈからなり、前部伸縮用部材７ｂを横に複数繋げたものである。尚、全ての前部伸縮用部材７ｂには、それぞれ正面プレス板７ａが手前側に向けて取り付けられる。
【００３９】
前部伸縮用部材７ｂは、縦に長い板であり、後部伸縮用部材７ｄは、斜めに長い板である。一の前部伸縮用部材７ｂと隣りの前部伸縮用部材７ｂとは、２つの後部伸縮用部材７ｄを中心で交差させ、対角線状に繋ぐことで、横方向に伸縮できるようにする。
【００４０】
前部伸縮用部材７ｂと後部伸縮用部材７ｄとは、上側は上孔７ｃを上留め具７ｅで留め、下側は下孔７ｈを下留め具７ｇで留める。また、２つの後部伸縮用部材７ｄの交点は中留め具７ｆで留める。尚、前部伸縮用部材７ｂの上側においては、上孔７ｃを長目に空けて伸縮の際に上留め具７ｅが上下に可動できるようにする。
【００４１】
図７は、本発明であるカーテン用スチームアイロンの正面プレス具と背面プレス具を合わせた状態を示す図であり、図８は、本発明であるカーテン用スチームアイロンの正面プレス具の正面図、平面図及び側面図であり、図９は、本発明であるカーテン用スチームアイロンの背面プレス具の側面図及び背面図である。
【００４２】
図７に示すように、正面プレス具７と背面プレス具１２とは向かい合わせにし、正面プレス板７ａと背面プレス板１２ａとが交互に挟まるように合わせる。実際にはカーテン１７が、カーテン１７に形成されたひだに沿うように挟まれる。
【００４３】
尚、カーテンフック６の被嵌部６ｂの間隔を狭めると共に、正面プレス板７ａの間隔も狭まり、掛けたカーテン１７のひだを折り畳んで、カーテン１７を束ねることができる。更に、背面プレス板１２ａを合わせることにより、ひだの折り目を保つことができる。
【００４４】
正面プレス具７及び背面プレス具１２の上側には、蒸気噴射部８が設置される。蒸気噴射部８は、可動部９の上に取り付けられ、左右方向及び前後方向にスライド移動させることができる。
【００４５】
蒸気噴射部８のコの字型体８ａの空いた側の向かい側には、排気部１０が設置され、ホース１０ｂが延びる。尚、蒸気噴射部８は加熱された蒸気が吹き出るので、表面には加熱防止シート８ｃが被せられる。
【００４６】
可動部９は、左右スライド台９ａの支え台９ｄの上に蒸気噴射部用スライドレール９ｅが設けられ、蒸気噴射部８を左右にスライドさせることができ、支え台９ｄの下には前後スライド台９ｈが設けられ、蒸気噴射部８を前後にスライドさせることができる。また、支え台９ｄは、基礎枠９ｇに繋がる本体接続部９ｆに接続される。
【００４７】
図８に示すように、正面プレス具７のうち、一の前部伸縮用部材７ｂには、先端が丸みを帯びた薄い板である正面プレス板７ａが、ネジ等の固定具７ｉにより、前部伸縮用部材７ｂに対して垂直に取り付けられる。
【００４８】
図９に示すように、背面プレス具１２のうち、一の背面プレス板１２ａは、先端が丸みを帯びた薄い板であり、付け根に設けた固定板１２ｃの凸部１２ｂを、可動部９の背面側に対して垂直に挿すことにより取り付ける。
【００４９】
図１０は、本発明であるカーテン用スチームアイロンの蒸気噴射部の斜視図である。蒸気噴射部８は、コの字型体８ａ、蒸気噴射孔８ｂ、加熱防止シート８ｃ、接続部８ｄ、送気管８ｅ及び排水管８ｆからなる。尚、蒸気噴射部８は、接続部８ｄにおいて可動部９に取り付けられる。
【００５０】
コの字型体８ａは、直方体の一の側面が凹んだコの字状の部材で、凹んだ箇所の内側の三面には、蒸気噴射孔８ｂが複数設けられる。凹んだ箇所に束ねたカーテン１７を収め、三方から蒸気を吹き付ける。
【００５１】
蒸気は、蒸気制御部１５の送気管１５ｌから続く送気管８ｅを、コの字型体８ａに接続することにより供給する。尚、コの字型体８ａの内部に電熱板等を入れることにより、蒸気の温度を保っても良い。
【００５２】
コの字型体８ａの内部に充満した蒸気のうち、蒸気として蒸気噴射孔８ｂから吹き出さずに液化したものは、排水管８ｆから排水し、温度低下を防止する。また、コの字型体８ａは蒸気により熱せられるので、加熱防止シート８ｃにより保護される。
【００５３】
図１１は、本発明であるカーテン用スチームアイロンのカーテン押さえ具の斜視図である。カーテン押さえ具１１は、中央橋絡３ｃに設置され、蒸気噴射部８の上側において、束ねたカーテン１７を後側から挟む。
【００５４】
カーテン押さえ具１１は、左押さえ板１１ａ、右押さえ板１１ｂ、伸縮用部材１１ｃ、留め具１１ｄ、支え棒１１ｅ、台１１ｆ及び固定板１１ｇからなる。伸縮用部材１１ｃにより、左押さえ板１１ａと右押さえ板１１ｂの間隔を調整することができる。
【００５５】
伸縮用部材１１ｃは、関節となる箇所を留め具１１ｄで留めた伸縮可能なアームであり、左側の先端に縦長の板である左押さえ板１１ａ、右側の先端に縦長の板である右押さえ板１１ｂを取り付けて、物を挟むことができる。
【００５６】
カーテン押さえ具１１は、台１１ｆから垂直に延びた支え棒１１ｅにより支えられ、固定板１１ｇにより台１１ｆと中央橋絡３ｃが接続される。また、駆動命令の信号を伝えるケーブル及び駆動機構も台１１ｆに設けられる。
【００５７】
排気部１０の排蒸気吸引部１０ａも固定部品１０ｃにおいて、中央橋絡３ｃに設置され、管状のホース１０ｂが接続される。排蒸気吸引部１０ａは、内部が中空の箱であり、蒸気を吸い込む前面は、金網にフェルトを取り付けたフィルタ状である。
【００５８】
図１２は、本発明であるカーテン用スチームアイロンのカーテンをクリーニングしている状況を示す図であり、図１３は、本発明であるカーテン用スチームアイロンのカーテンをクリーニングしている状況の拡大図である。
【００５９】
上レール４のレール台４ｂの前面にあるレール４ａに設置されたカーテンフック６にカーテン１７を掛ける。尚、可動部９は、手前に引いて下レール５から離れた状態にしておき、カーテン押さえ具１１は後方に開いた状態にしておく。
【００６０】
カーテンフック６の前部伸縮用部材６ａは間隔を開いた状態にし、被嵌部６ｂのＬ字型フック６ｃにカーテン１７の上部をひだ毎に引っ掛ける。尚、上レール４を左柱３ａ及び右柱３ｂの上下方向にスライドさせ、上レール４を下げた状態にしておく。
【００６１】
カーテンフック６の前部伸縮用部材６ａの間隔を閉じ、カーテン１７をひだに沿って折り畳んで束ねる。尚、下レール５に設けられた正面プレス具７の正面プレス板７ａにカーテン１７のひだが収まるようにする。
【００６２】
可動部９を下レール５の方に移動し、正面プレス具７の正面プレス板７ａと背面プレス具１２の背面プレス板１２ａを合わせて、カーテン１７のひだが交互に突出する正面プレス板７ａと背面プレス板１２ａの間に挟まるようにする。
【００６３】
中央橋絡３ｃに設置されたカーテン押さえ具１１の伸縮用部材１１ｃを伸ばして左押さえ板１１ａ及び右押さえ板１１ｂを前方に出し、束ねたカーテン１７を左押さえ板１１ａと右押さえ板１１ｂとで挟み込んで押さえる。
【００６４】
可動部９の左右スライド台９ａで蒸気噴射部８をカーテン１７の位置まで移動させ、前後スライド台９ｈで蒸気噴射部８の凹んだ部分にカーテン１７を収める。尚、可動部９の支え台９ｄの前面には左右スライド台９ａ、上面には蒸気噴射部用スライドレール９ｅが設置される。
【００６５】
滑動部材９ｂの接続部９ｃは、蒸気噴射部８の接続部８ｄと接続されており、滑動部材９ｂが左右スライド台９ａに沿って移動するに伴い、滑動部材９ｂと連結している蒸気噴射部８が蒸気噴射部用スライドレール９ｅの上を左右にスライド移動する。
【００６６】
上レール４を下げた状態から徐々に上に移動させてカーテン１７を引き上げながら、蒸気噴射部８から蒸気を吹き付ける。吹付け後の蒸気は、中央橋絡３ｃに取り付けられた排気部１０の排蒸気吸引部１０ａで吸い込み、ホース１０ｂを通じて排出する。
【００６７】
図１４は、本発明であるカーテン用スチームアイロンの蒸気制御部の斜視図であり、図１５は、本発明であるカーテン用スチームアイロンの蒸気制御部の透過図である。蒸気は、蒸気制御部１５及びボイラー１６により供給される。
【００６８】
蒸気制御部１５は、電源スイッチ１５ａ、漏電ブレーカー１５ｂ、マグネチックコンタクタ１５ｃ、リレー１５ｄ、サージキラー付電磁弁１５ｅ、サーモスタット１５ｆ、スーパータンク本体１５ｇ、保温材１５ｈ、温度ヒューズ１５ｉ、セラミックヒーター１５ｊ、スチームトラップ１５ｋ及び送気管１５ｌからなる。
【００６９】
電源スイッチ１５ａは、蒸気制御部１５の起動又は停止を行う切替器である。漏電ブレーカー１５ｂは、漏電した場合に回路を遮断する装置である。マグネチックコンタクタ１５ｃは、電源を入れた際に、通常よりもはるかに大きな電流が流れるのをを抑制する装置である。リレー１５ｄは、電気信号によって電気回路を開閉する装置である。
【００７０】
サージキラー付電磁弁１５ｅは、電磁力により弁を開閉する電磁弁に、電気回路に通常の電圧を超えて瞬間的又は断続的に発生する過電圧であるサージ電圧を低減する仕組みを加えた装置である。サーモスタット１５ｆは、自動的に熱源を制御する温度調節装置である。
【００７１】
スーパータンク本体１５ｇは、ボイラー１６で発生した蒸気を一時的に蓄える容器である。保温材１５ｈは、蒸気の温度を保つために使用される材質である。温度ヒューズ１５ｉは、温度が高くなると回路を遮断する安全器である。
【００７２】
セラミックヒーター１５ｊは、遠赤外線の放射効率が高いセラミックスを使用した発熱器である。スチームトラップ１５ｋは、蒸気は逃がさず、結露により発生した水を排出する自動弁である。
【００７３】
送気管１５ｌは、蒸気を蒸気噴射部８の送気管８ｅに送るパイプである。ボイラー１６は、水を加熱して蒸気を発生させる装置である。ボイラー１６で生成した蒸気は、蒸気制御部１５において１７０℃〜１８０℃の温度に保たれ、定量ずつ蒸気噴射部８に供給される。
【００７４】
図１６は、本発明であるカーテン用スチームアイロンのターボファンの斜視図である。ターボファン１８は、本体１８ａ、ホース接続部１８ｂ、排気口１８ｃ、モーター部１８ｄ及び台１８ｅからなる。
【００７５】
本体１８ａは、中空の穴のないドーナツ状の部材を縦にしたもので、一方の片面中央にあるホース接続部１８ｂに、排気部１０のホース１０ｂが接続され、他方の片面にはモーター部１８ｄが、台１８ｅに載せられ設置される。また、周面の一箇所には、排気口１８ｃも設けられる。
【００７６】
モーター部１８ｄを駆動させることにより吸引力を発生させ、ホース１０ｂを通じて排気部１０に入った蒸気を本体１８ａに吸い込む。本体１８ａに取り込まれた蒸気は、排気口１８ｃからフィルタを介して排出する。
【００７７】
図１７は、本発明であるカーテン用スチームアイロンのペダルの平面図である。ペダル１９は、台板１９ａ、左スイッチ１９ｂ及び右スイッチ１９ｃからなり、台板１９ａの上に左スイッチ１９ｂと右スイッチ１９ｃが配置される。
【００７８】
左スイッチ１９ｂを操作すると上レール４が下がり、右スイッチ１９ｃを操作すると上レール４が上がる。ペダル１９における操作はケーブルを通じてコントロールボックス１３に伝達され、コントロールボックス１３から上レール４に動作信号が送られる。
【００７９】
以上のように、本発明であるカーテン用スチームアイロンは、カーテン等を吊した状態で、ひだを畳んでまとめて蒸気を当てるので、ひだを綺麗に残したまま、短時間で容易にクリーニングすることができる。
【００８０】
また、蒸気噴射部をコの字状とすることにより、蒸気噴射部の内側に束ねたカーテン等を収めることができ、束ねたカーテン等に対し前側及び左右側から十分に蒸気を噴射することができる。
【図面の簡単な説明】
【００８１】
【図１】本発明であるカーテン用スチームアイロンの全体の正面図である。
【図２】本発明であるカーテン用スチームアイロンの本体の正面側の斜視図である。
【図３】本発明であるカーテン用スチームアイロンの本体の背面側の斜視図である。
【図４】本発明であるカーテン用スチームアイロンのカーテンフックにカーテンを掛けた状態を示す図である。
【図５】本発明であるカーテン用スチームアイロンの上レールの拡大図である。
【図６】本発明であるカーテン用スチームアイロンの下レールの拡大図である。
【図７】本発明であるカーテン用スチームアイロンの正面プレス具と背面プレス具を合わせた状態を示す図である。
【図８】本発明であるカーテン用スチームアイロンの正面プレス具の正面図、平面図及び側面図である。
【図９】本発明であるカーテン用スチームアイロンの背面プレス具の側面図及び背面図である。
【図１０】本発明であるカーテン用スチームアイロンの蒸気噴射部の斜視図である。
【図１１】本発明であるカーテン用スチームアイロンのカーテン押さえ具の斜視図である。
【図１２】本発明であるカーテン用スチームアイロンのカーテンをクリーニングしている状況を示す図である。
【図１３】本発明であるカーテン用スチームアイロンのカーテンをクリーニングしている状況の拡大図である。
【図１４】本発明であるカーテン用スチームアイロンの蒸気制御部の斜視図である。
【図１５】本発明であるカーテン用スチームアイロンの蒸気制御部の透過図である。
【図１６】本発明であるカーテン用スチームアイロンのターボファンの斜視図である。
【図１７】本発明であるカーテン用スチームアイロンのペダルの平面図である。
【符号の説明】
【００８２】
１      カーテン用スチームアイロン
２      本体
３      骨組み
３ａ    左柱
３ｂ    右柱
３ｃ    中央橋絡
３ｄ    安定用橋絡
３ｅ    左脚
３ｆ    右脚
４      上レール
４ａ    レール
４ｂ    レール台
４ｃ    レール固定部
４ｄ    接続部
４ｅ    ストッパー
４ｆ    レール移動装置
５      下レール
５ａ    レール
５ｂ    レール台
５ｃ    レール固定部
５ｄ    レール台接続部
６      カーテンフック
６ａ    前部伸縮用部材
６ｂ    被嵌部
６ｃ    Ｌ字型フック
６ｄ    孔
６ｅ    後部伸縮用部材
６ｆ    上留め具
６ｇ    中留め具
６ｈ    下留め具
７      正面プレス具
７ａ    正面プレス板
７ｂ    前部伸縮用部材
７ｃ    上孔
７ｄ    後部伸縮用部材
７ｅ    上留め具
７ｆ    中留め具
７ｇ    下留め具
７ｈ    下孔
７ｉ    固定具
８      蒸気噴射部
８ａ    コの字型体
８ｂ    蒸気噴射孔
８ｃ    加熱防止シート
８ｄ    接続部
８ｅ    送気管
８ｆ    排水管
９      可動部
９ａ    左右スライド台
９ｂ    滑動部材
９ｃ    接続部
９ｄ    支え台
９ｅ    蒸気噴射部用スライドレール
９ｆ    本体接続部
９ｇ    基礎枠
９ｈ    前後スライド台
９ｉ    支持軸
９ｊ    ハンドル
１０    排気部
１０ａ  排蒸気吸引部
１０ｂ  ホース
１０ｃ  固定部品
１１    カーテン押さえ具
１１ａ  左押さえ板
１１ｂ  右押さえ板
１１ｃ  伸縮用部材
１１ｄ  留め具
１１ｅ  支え棒
１１ｆ  台
１１ｇ  固定板
１２    背面プレス具
１２ａ  背面プレス板
１２ｂ  凸部
１２ｃ  固定板
１３    コントロールボックス
１４    コードカバー
１５    蒸気制御部
１５ａ  電源スイッチ
１５ｂ  漏電ブレーカー
１５ｃ  マグネチックコンタクタ
１５ｄ  リレー
１５ｅ  サージキラー付電磁弁
１５ｆ  サーモスタット
１５ｇ  スーパータンク本体
１５ｈ  保温材
１５ｉ  温度ヒューズ
１５ｊ  セラミックヒーター
１５ｋ  スチームトラップ
１５ｌ  送気管
１６    ボイラー
１７    カーテン
１７ａ  袋部
１８    ターボファン
１８ａ  本体
１８ｂ  ホース接続部
１８ｃ  排気口
１８ｄ  モーター部
１８ｅ  台
１９    ペダル
１９ａ  台板
１９ｂ  左スイッチ
１９ｃ  右スイッチ
【図１】
2007097921.tif 000003
【図２】
2007097921.tif 000004
【図３】
2007097921.tif 000005
【図４】
2007097921.tif 000006
【図５】
2007097921.tif 000007
【図６】
2007097921.tif 000008
【図７】
2007097921.tif 000009
【図８】
2007097921.tif 000010
【図９】
2007097921.tif 000011
【図１０】
2007097921.tif 000012
【図１１】
2007097921.tif 000013
【図１２】
2007097921.tif 000014
【図１３】
2007097921.tif 000015
【図１４】
2007097921.tif 000016
【図１５】
2007097921.tif 000017
【図１６】
2007097921.tif 000018
【図１７】
2007097921.tif 000019